(57)【要約】【課題】子供の急激な身長の増加に対応して、現在の身長に合った最適な高さに調整できる椅子や机等の子供用家具において、高さ調整後の脚部のガタ付きを防止する。【解決手段】家具の高さ調整手段に付加して脚部の固定手段を設けるようにし、さらに固定手段を家具本体と脚部の対向内部に設けて家具の外側に露出しないようにして高さ調整後の脚部のガタ付きを防止した。【選択図】図９
2014057824.tif 000002
【特許請求の範囲】
【請求項１】
机のテーブルもしくは椅子の座面を形成する家具本体と、家具の脚部とを高さ調整手段を介して連結して家具本体の高さを調整自在とするとともに、家具本体もしくは脚部に高さを設定する目盛りを設け、この目盛りは家具の利用開始年齢から利用終了年齢までの子供の身長の増加値を家具の高さの調整範囲値に縮尺して身長と同じ数値を付け、高さ調整手段を操作して脚部の上下位置を子供の身長の測定値と同じ数値の目盛りに合わせることで、子供の身長の増加に対応して家具本体の高さを設定できるようにした子供用家具において、家具本体と脚部相互を緊締する固定手段を設けて脚部のガタ付きを防止したことを特徴とする子供用家具。
【請求項２】
上記の固定手段は、家具本体もしくは脚部に設けた上下案内穴と、頭部を摺動自在として上下案内穴に挿入した固定ネジとで構成した可動部と、この可動部に対向する脚部もしくは家具本体に固定ネジを貫通して貫通端に螺着したナットとで構成した固定部を備え、ナットを緊締して高さ調整後の脚部のガタ付きを防止することを特徴とする請求項１に記載の子供用家具。
【請求項３】
上記の固定手段の可動部は、家具本体もしくは脚部において対向するいずれかの内側に設けて脚部のガタ付きを防止したことを特徴とする請求項１と請求項２に記載の子供用家具。
【請求項４】
上記の高さ調整手段は、家具本体もしくは脚部に装着し調整ボルトを回転自在に枢支したケースと、脚部もしくは家具本体に固着し前記の調整ボルトに螺合するナットを備えた移動板とで構成し、調整ボルトを回して脚部を上下に移動して高さを調整することを特徴とする請求項１と請求項２と請求項３に記載の子供用家具。
【請求項５】
上記の固定手段は、高さ調整手段のケースに一体に設けた上下案内穴と頭部を摺動自在として上下案内穴に挿入した固定ネジとで構成した可動部と、この可動部に対向する脚部もしくは家具本体において固定ネジが貫通して貫通端にナットを螺着した固定部を備え、ナットを緊締して高さ調整後の脚部のガタ付きを防止することを特徴とする請求項４に記載の子供用家具。
【発明の詳細な説明】
【技術分野】
【０００１】  本発明は、机や椅子などの子供用家具に関する。
【背景技術】
【０００２】  子供は特に幼児期に於いては身長の増加が著しいので、椅子や机等の家具類はサイズが合わなくなってすぐに使えなくなる。これらを解消するために、椅子の座面もしくは机のテーブルを形成する家具本体と脚部とを高さ調整手段で連結して高さ調整を行う家具が提案されている。
【先行技術文献】
【特許文献】
【０００３】
【特許文献１】特願２０１２−８６８７０
【０００４】
【発明の概要】
【発明が解決しようとする課題】
【０００５】  解決しようとする課題は、上述の先行技術（特許文献１）では家具の高さの設定にあたり高さ調整手段で脚部を上下して行うものであるが、この高さ調整手段は調整ボルトとこれに螺合するナットとのネジ構造であるが、ネジ相互には操作性の上で適度なクリアランスが保持されている。【０００６】  このクリアランスは結果として脚部の取り付けがガタ付く原因となり、多様な使い方が予想される子どもの家具としては十分なものではなかった。【０００７】  また、このガタ付きを防止するために固定手段を付加した先行例では、上下に移動する脚部には上下移動を案内する長穴が設けられているが、この長穴は家具デザインに制限が生ずることとなり、さらには幼児の指が誤って入ってケガをする原因にもなっていた。【０００８】  また、固定手段を付加することでコスト高になるためこの合理化を必要としていた。【０００９】  この発明は、上記の従来の欠点の解消を課題としている。即ち、子供の椅子や机等の家具類の高さの調整後に脚部を固定する固定手段を付加して脚部のガタ付きを防止することを第一の目的とし、第二の目的は固定手段が家具の外部に露出しないようにして、デザイン上の制限をなくするとともに、家具の外側に露出した固定手段が原因で幼児のケガを未然に防止しすることにあり、第三の目的は固定手段を付加するにあたり、コスト高にならないように組み立てや部品の合理化を計ることにある。
【課題を解決するための手段】
【００１０】  本発明は、机のテーブルもしくは椅子の座面を形成する家具本体と、家具の脚部とを高さ調整手段を介して連結して家具本体の高さを調整自在とするとともに、家具本体もしくは脚部に高さを設定する目盛りを設け、この目盛りは家具の利用開始年齢から利用終了年齢までの子供の身長の増加値を家具の高さの調整範囲値に縮尺して身長と同じ数値を付け、高さ調整手段を操作して脚部の上下位置を子供の身長の測定値と同じ数値の目盛りに合わせることで、子供の身長の増加に対応して家具本体の高さを設定できるようにした子供用家具において、家具本体と脚部相互を緊締する固定手段を設けて脚部のガタ付きを防止するようにした。【００１１】  また、上記の固定手段は、家具本体もしくは脚部に設けた上下案内穴と、頭部を摺動自在として上下案内穴に挿入した固定ネジとで構成した可動部と、この可動部に対向する脚部もしくは家具本体に固定ネジを貫通して貫通端に螺着したナットとで構成した固定部を備え、ナットを緊締して高さ調整後の脚部のガタ付きを防止するようにした。【００１２】  また、上記の固定手段の可動部は、家具本体もしくは脚部において対向するいずれかの内側に設けて脚部のガタ付きを防止するようにした。【００１３】  上記の高さ調整手段は、家具本体もしくは脚部に装着し調整ボルトを回転自在に枢支したケースと、脚部もしくは家具本体に固着し前記の調整ボルトに螺合するナットを備えた移動板とで構成し、調整ボルトを回して脚部を上下に移動して高さを調整するようにした。【００１４】  上記の固定手段は、高さ調整手段のケースに一体に設けた上下案内穴と、頭部を摺動自在として上下案内穴に挿入した固定ネジとで構成した可動部と、この可動部に対向する脚部もしくは家具本体において固定ネジが貫通して貫通端にナットを螺着した固定部を備え、ナットを緊締して高さ調整後の脚部のガタ付きを防止するようにした。
以上の解決手段によって上記の課題が解決される。
【発明の効果】
【００１５】  本発明は、上記のように構成したので、子供の身長の増加に対応した最適な高さに机や椅子の高さを簡易に設定でき、また、高さの調整後に固定手段を操作することで脚部のガタ付きを無くすことができる。【００１６】  また、固定手段は家具本体もしくは脚部の外部に露出しないため、デザイン上の制限がなくなり、さらには幼児のケガ等の懸念も解消する。【００１７】  また、固定手段が高さ調整手段のケースと一体に形成することで、組み立てや部品の合理化が計られる。
【図面の簡単な説明】
【００１８】
【図１】この発明の幼児用家具のうち椅子の実施例を示す斜視図
【図２】同じく机の実施例を示す斜視図
【図３】図１の正面図
【図４】図２の正面図
【図５】図１の５−５線に沿う断面図
【図６】図２の６−６線に沿う断面図
【図７】図３の７−７線に沿う断面図
【図８】図３の８−８線に沿う断面図
【図９】図３の９−９線に沿う平断面図
【図１０】図３の１０−１０線に沿う平断面図
【図１１】高さ調整手段の分解斜視図
【図１２】固定手段の可動部の分解斜視図
【図１３】椅子の高さ調整状態を示す側面図
【図１４】机の高さ調整状態を示す側面図
【図１５】椅子の他の実施例を示す側面図
【図１６】図１５の１６−１６線に沿う平断面図
【図１７】平均身長に対する椅子と机の高さを示す表
【図１８】椅子の高さ調整状態を示す側面図
【図１９】机の高さ調整状態を示す側面図
【図２０】固定手段の他の実施例を示す斜視図
【図２１】図２０の固定手段の家具に装着した状態の平断面図
【発明を実施するための形態】
【００１９】  この発明の子供用家具は幼児を含む子供を対象とし、椅子や机などの脚部をそなえた家具に関し、以下に図面に基づいて説明する。
【００２０】  図１〜図４は子供用家具を示し、図１および図３は椅子１を図２および図４は机２を例示している。椅子１は座面３と脚取り付け部４とで構成した家具本体５と、脚部６とで構成している。机２はテーブル７と脚取り付け部８と、脚部９とで構成している。脚取り付け部４および８は図５と図６で示したように座面３およびテーブル７の下側に垂下固定している。脚部６および９には高さ調整手段１０が装着し、この高さ調整手段１０を介して脚部６および９は脚取り付け部４および８に取り付けられている。
【００２１】  高さ調整手段１０は図９〜図１１で示したように、左右両翼に取り付け部１１を一体形成したケース１２と、このケース１２の長手方向の一方のケース端板１３と中間支持板１４の軸穴１５，１６に先端部および頸部を回転自在で挿通した調整ボルト１７と、調整ボルト１７に螺合しケース１２内に移動自在として設けた移動板１８内に溶接等の手段で固着したナット１９と、ナット１９のネジ穴と連通するボルト穴２１を備えナット１９の固着個所より一体で曲折形成した取り付け部２０に取り付けネジ２２を設けた上記の移動板１８とで構成している。
【００２２】  調整ボルト１７は図１１で示したように中間支持板１４を貫通してこの突出端部に設けたナット２３の止め穴２４に抜止めネジ２５を螺入してケース１２よりの脱落が防止されている。このケース１２は脚部６もしくは９に装着するが、図９および図１０で示したように脚部６に設けた切り欠き部２６にケース１２を嵌め、取り付け部１１を切り欠き部２６の両側に形成した凹部２７に配置し、取り付け穴２８を介してビス２９で脚部６に装着している。この脚部６は高さ調整手段１０を脚取り付け部４に対向して配置し、上記の移動板１８の取り付けネジ２２を脚取り付け部４の取り付け穴３０に挿入して脚取り付け部４の外側よりナット３１を螺着して脚部６を脚取り付け部４に連結している。
【００２３】  上記の脚部６の取り付けにおいて、ケース１２の取り付け部１１の両側に一体で形成した立ち上がり部３２の先端が次位で説明する固定手段３３の止着板３４に脚部６と脚取り付け部４間に間隙３５が形成されるようにして当接して相互の移動時の抵抗を軽減している。この構成により高さ調整手段１０の調整ボルト１７の頭部３６を回転操作することで、脚部６は脚取り付け部４に沿って図５に示したように上下方向に移動し、椅子１の座面３の高さを調整することができる。机２も高さ調整手段１０を同様にして脚部９に装着して脚取り付け部８と連結することでテーブル７の高さを同様に調整することができる。
【００２４】  図１１で示した３７は高さ調整手段１０のカバーを示し、このカバー３７は平行して設けた長穴３８に移動板１８の取り付けネジ２２が摺動自在に貫通し、外周の立ち上がり部３９で無理バメするようにしてケース１２の立ち上がり部３２の内側に装着している。
【００２５】  図１３〜図１７は椅子１および机２の高さの設定にあたり、設定の基準となる目盛り４０の表示手段と、この高さの設定手段を示している。
【００２６】  この発明の子供の家具は子供の身長の増加に応じてその高さを最適な高さに設定できるようにするものであり、図１７では誕生後６ケ月〜６才までの身長の増加に対する椅子１と机２の最適高さの増加を示している。この表は一般に統計的に示されたものであるが、生後６ケ月と６才の時の平均身長に対する最適な高さを規準として椅子１と机２の各年齢での参考最適高さを算出している。
【００２７】  上記表での平均身長の増加値は４０ｃｍでありこれに対する椅子１の増加値は１０．５ｃｍ、机２の増加値は１５．５ｃｍとなっている。子供の身長に対して椅子１と机２を最適な高さに設定するには、前記の身長の増加値に対して椅子１と机２の増加値の範囲で縮尺した目盛り４０を表示してこの目盛り４０に基づいて高さの設定を行う。目盛り４０は図１３と図１４で示したように脚取り付け部４および８の外面で脚部６および９との対向個所に設けている。
【００２８】  図１８および図１９は目盛り４０の詳細を示し、図１７での平均身長の６５ｃｍ〜１１５ｃｍまでの増加値を夫々の家具の最適高さでの増加値に縮尺した目盛り４０と、この目盛りに対する身長の数値４１を表示している。例えば図１８に於いて椅子１の高さＡ（座面３から脚部６の下端までの高さ）を１６ｃｍに設定した時には脚部６の上端Ｂが目盛り４０の身長の数値４１の（６５）に合うようにしている。この場合、子供の身長を測った結果が６５ｃｍであると椅子１の高さは最適な高さに設定されている。また身長を測った結果が８５ｃｍの場合は調整ボルト１７を回して脚部６を下降してこの上端Ｂを目盛り４０の（８５）に合わせると椅子１の高さはこの身長に対する最適な高さに設定される。これらの設定手段は図１９で示した机２でも同様である。図１３は脚部６の内部に窓４２を形成してこの窓４２内の下端４３を目盛り合わせの基準位置としている。
【００２９】  図１５と図１６は脚部６の中央部を分割してこの間隙４４内にケース１２を装着した例を示している。脚部６の上部には手すり４５を下端には脚４６を設けて高さの設定においてはケース１２の上端で目盛り４０との位置決めを行う。目盛り４０は脚取り付け部４および８の表面に印刷等の手段で直接的に表示するか、もしくは目盛り４０を形成したシールや金属板等を貼り付けるようにしてもよい。
【固定手段の実施例１】
【００３０】  図７から図９と図１２は脚部６の上記での高さ調整後の固定手段３３を示している。
固定手段３３は図７と図９で示した固定部４７と、図８、図９および図１２で示した可動部４８とで構成している。
【００３１】  可動部４８は脚取り付け部４において高さ調整手段１０に対向した箇所にネジ４９で止着し、取り付けネジ２２の挿通穴６４を形成した止着板３４と、この止着板３４に形成した上下案内穴５０およびこの上下案内穴５０の裏側に止着し同様の案内穴５１を形成した凹型のガイド板５２と、このガイド板５２内に頭部５３を配置してネジ部５４を案内穴５１と上下案内穴５０に摺動自在に挿通した固定ネジ５５とで構成している。固定ネジ５５の頭部５３は四角形としているのでガイド板５２内で回転が規制される。
【００３２】  固定部４７は脚部６に装着したケース１２の外側の止着穴５６に上記の固定ネジ５５が貫通して脚部６の外側よりナット５７を螺着して構成している。
高さ調整手段１０の操作前に先ずナット５７を緩めてから調整ボルト１７を操作すると、脚部６の移動に伴って固定ネジ５５が上下案内穴５０および案内穴５１内を同様に移動し、高さの設定後にはナット５７を緊締して脚部６のガタ付きを防止する。
【固定手段の実施例２】
【００３３】  図２０と図２１で示した可動部４８をケース１２と一体に形成したもので、ケース１２の取り付け部１１と立ち上がり部３２の間に上下案内穴５８および、案内穴５９を供えたガイド板６０を設けて固定ネジ６１を装着したものであり、このケース１２は脚部６に取り付けているので、固定ネジ６１は固定部４７となる脚取り付け部４の止着穴６２を貫通して脚取り付け部４の外側でナット６３を螺着している。この実施例での脚部６の固定は上記と同様にしておこなわれる。
【００３４】  上記の固定手段３３の固定部４７と可動部４８は、脚部６と９および脚取り付け部４と８のいずれの側に設けても良く、目盛り４０もまた同様に表示個所を変更する。
【符号の説明】
【００３５】  １・・・椅子
２・・・机
３・・・座面
４・・・脚取り付け部
５・・・家具本体
６・・・脚部
８・・・脚取り付け部
９・・・脚部
１０・・・高さ調整手段
１２・・・ケース
１７・・・調整ボルト
１８・・・移動板
１９・・・ナット
２２・・・取り付けネジ
２３・・・ナット
３１・・・ナット
３３・・・固定手段
３４・・・止着板
４０・・・目盛り
４７・・・固定部
４８・・・可動部
５０・・・上下案内穴
５３・・・頭部
５５・・・固定ネジ
５７・・・ナット
５８・・・上下案内穴
６１・・・固定ネジ
６３・・・ナット
【図１】
2014057824.tif 000003
【図２】
2014057824.tif 000004
【図３】
2014057824.tif 000005
【図４】
2014057824.tif 000006
【図５】
2014057824.tif 000007
【図６】
2014057824.tif 000008
【図７】
2014057824.tif 000009
【図８】
2014057824.tif 000010
【図９】
2014057824.tif 000011
【図１０】
2014057824.tif 000012
【図１１】
2014057824.tif 000013
【図１２】
2014057824.tif 000014
【図１３】
2014057824.tif 000015
【図１４】
2014057824.tif 000016
【図１５】
2014057824.tif 000017
【図１６】
2014057824.tif 000018
【図１７】
2014057824.tif 000019
【図１８】
2014057824.tif 000020
【図１９】
2014057824.tif 000021
【図２０】
2014057824.tif 000022
【図２１】
2014057824.tif 000023